(57)【特許請求の範囲】
【請求項１】
ユーザから取得した生体情報を予め登録された参照情報と照合する照合手段と、
決められた期間におけるユーザ毎の前記照合手段による生体情報の照合の回数に基づく内容の処理を実行する実行手段と
を備え、
前記実行手段は、前記照合手段により一のユーザの前記期間における１回目の照合が行われた場合には照合が成功したユーザの出勤時刻に関する情報を記録し、前記照合手段により一のユーザの２回目以降の照合が行われた場合には予め定められた印刷装置の操作に関する処理を実行する
情報処理システム。
【請求項２】
前記実行手段は、前記照合手段により一のユーザの前記期間における１回目の照合が行われた場合に、照合が成功したユーザに関する情報を記録する
請求項１に記載の情報処理システム。
【請求項３】
前記実行手段は、前記照合手段により一のユーザの前記期間における２回目以降の照合が行われた場合に、予め定められた処理を実行する
請求項１又は２に記載の情報処理システム。
【請求項４】
ログインの操作に応じて認証を行う認証手段を備え、
前記実行手段は、前記照合手段により一のユーザの２回目以降の照合が行われ、且つ、前記認証手段による認証が成功した場合に、前記予め定められた処理を実行する
請求項３に記載の情報処理システム。
【請求項５】
前記実行手段は、前記照合手段により一のユーザの前記期間における１回目の照合が行われた場合には前記認証をせずに前記出勤時刻に関する情報を記録し、前記照合手段により一のユーザの２回目以降の照合が行われた場合には前記認証を行う
請求項４に記載の情報処理システム。
【請求項６】
ユーザから取得した生体情報を予め登録された参照情報と照合する照合手段と、
決められた期間におけるユーザ毎の前記照合手段による生体情報の照合の回数に基づく内容の処理を実行する実行手段と
を備え、
前記実行手段は、前記照合手段により一のユーザの前記期間における１回目の照合が行われた場合には照合が成功したユーザの出勤時刻に関する情報を記録し、前記照合手段により一のユーザの２回目以降の照合が行われた場合には予め定められた印刷装置の操作に関する処理を実行する
電子機器。
【発明の詳細な説明】
【技術分野】
【０００１】
本発明は、情報処理システム及び電子機器に関する。
【背景技術】
【０００２】
特許文献１には、タイムカード端末の機能を有する多機能周辺機（ＭＦＰ）が記載されている。ＭＦＰは格納装置及び入力／出力装置と供に構成される。ユーザは、様々な作業、機能及びアプリケーションを実行するために入力／出力装置と通信する。格納装置はデータを格納するように構成される。ユーザはＭＦＰを利用して職場への出勤及び退社を記録し、またメッセージを検査するためにＭＦＰを利用する。ユーザは、ユーザ識別データを入力し、ＭＦＰは確認すると、そのユーザはＭＦＰにログオンする。ユーザが出勤すると、タイムデータエントリが格納装置に格納され、退社すると別のタイムデータエントリが格納される。格納されたユーザに関するメッセージデータが存在すれば、ＭＦＰは入力／出力装置でそのユーザに表示する。更にリモートサーバと共に構成され、データはリモートサーバ内に設けられたリモート格納装置に格納され得る。
特許文献２には、顔照合に関する技術が記載されている。特定地点を通過する人物をカメラで撮像し、当該撮像した画像から顔画像を検出し、記憶部に記憶する。記憶された顔画像データは、照合部で相互に照合される。この照合結果により、当該特定地点を通過した通過地点、通過日時及び通過回数などの要素と共に記憶部に記憶される。記憶部に記憶された顔画像データは、監視員の操作により操作表示部に表示される。
【先行技術文献】
【特許文献】
【０００３】
【特許文献１】特開２００４−１３９５６１号公報
【特許文献２】特開２０１４−６７５０号公報
【発明の概要】
【発明が解決しようとする課題】
【０００４】
本発明は、ユーザから取得した生体情報を照合する機能を兼ね備えた情報処理システムの機能を選択する操作を簡略化することを目的とする。
【課題を解決するための手段】
【０００５】
請求項１に係る発明は、ユーザから取得した生体情報を予め登録された参照情報と照合する照合手段と、決められた期間におけるユーザ毎の前記照合手段による生体情報の照合の回数に基づく内容の処理を実行する実行手段とを備え、前記実行手段は、前記照合手段により一のユーザの前記期間における１回目の照合が行われた場合には照合が成功したユーザの出勤時刻に関する情報を記録し、前記照合手段により一のユーザの２回目以降の照合が行われた場合には予め定められた印刷装置の操作に関する処理を実行する情報処理システムを提供する。
請求項２に係る発明は、請求項１に記載の情報処理システムにおいて、前記実行手段は、前記照合手段により一のユーザの前記期間における１回目の照合が行われた場合に、照合が成功したユーザに関する情報を記録する。
請求項３に係る発明は、請求項１又は２に記載の情報処理システムにおいて、前記実行手段は、前記照合手段により一のユーザの前記期間における２回目以降の照合が行われた場合に、予め定められた処理を実行する。
請求項４に係る発明は、請求項３に記載の情報処理システムにおいて、ログインの操作に応じて認証を行う認証手段を備え、前記実行手段は、前記照合手段により一のユーザの２回目以降の照合が行われ、且つ、前記認証手段による認証が成功した場合に、前記予め定められた処理を実行する。
請求項５に係る発明は、請求項４に記載の情報処理システムにおいて、前記実行手段は、前記照合手段により一のユーザの前記期間における１回目の照合が行われた場合には前記認証をせずに前記出勤時刻に関する情報を記録し、前記照合手段により一のユーザの２回目以降の照合が行われた場合には前記認証を行う。
請求項６に係る発明は、ユーザから取得した生体情報を予め登録された参照情報と照合する照合手段と、決められた期間におけるユーザ毎の前記照合手段による生体情報の照合の回数に基づく内容の処理を実行する実行手段とを備え、前記実行手段は、前記照合手段により一のユーザの前記期間における１回目の照合が行われた場合には照合が成功したユーザの出勤時刻に関する情報を記録し、前記照合手段により一のユーザの２回目以降の照合が行われた場合には予め定められた印刷装置の操作に関する処理を実行する電子機器を提供する。
【発明の効果】
【０００６】
請求項１、５に係る発明によれば、ユーザから取得した生体情報を照合する機能を兼ね備えた情報処理システムの機能を選択する操作を簡略化することができる。
請求項２に係る発明によれば、決められた期間における一のユーザの１回目の照合が行われた場合に、そのユーザに関する情報を記録することができる。
請求項３に係る発明によれば、決められた期間における一のユーザの２回目以降の照合が行われた場合に、予め定められた処理を実行させることができる。
請求項４に係る発明によれば、１回目の照合のときにログイン操作を省略することができる。
【図面の簡単な説明】
【０００７】
【図１】印刷装置１のハードウェア構成を示す図。
【図２】印刷装置１の機能構成を示す図。
【図３】第１実施形態の動作の流れ図。
【図４】第２実施形態の動作の流れ図。
【発明を実施するための形態】
【０００８】
本発明を実施するための形態の一例について説明する。
図１は、印刷装置１のハードウェア構成を示す図である。印刷装置１は、本発明に係る電子機器の一例である。制御装置１０は、制御部１１、記憶部１２、通信部１３を備え、印刷装置１の制御を司る。なお、制御装置１０が印刷装置１の外部の装置として構成され、制御装置１０と印刷装置１が通信手段で通信するように構成されていてもよい。
【０００９】
制御部１１は、ＣＰＵ（Central Processing Unit）などの演算装置と、ＲＯＭ（Read Only Memory）やＲＡＭ（Random Access Memory）などの記憶装置とを備える。ＲＯＭには、ハードウェアやＯＳ（Operating System）の起動の手順を記述したファームウェアが記憶される。ＲＡＭには、ＣＰＵが演算を実行する際のデータが記憶される。記憶部１２は、例えばハードディスク記憶装置を備え、ＯＳやアプリケーションプログラムなどが記憶される。通信部１３は、印刷装置１をＬＡＮ（Local Area Network）に接続するための通信Ｉ／Ｆ（Interface）である。
【００１０】
画像形成部１４は、例えば電子写真方式やインクジェット方式などにより、ラスタデータに基づく画像をシート状の記録媒体に形成する。記録媒体は、例えば印刷用紙である（以下、用紙という）。
表示部１５は、例えば液晶表示装置を備え、印刷装置１を操作するためのＧＵＩ（Graphical User Interface）の画面を表示する。受付部１６は、例えば表示部１５の表示面を覆うように設けられたタッチパネルを備え、印刷装置１に対する操作を受け付ける。
【００１１】
読取部１７は、例えばイメージスキャナを備え、原稿を光学的に読み取って画像信号を出力する。積み重ねられた原稿を１枚ずつ読み取り位置に送り出す原稿送り装置が備えられていてもよい。
ファクシミリ通信部１８は、例えば電話回線に接続されるモデムを備え、ファクシミリ装置との間で画像データの送受信を行う。
【００１２】
撮影部２１は、例えば、デジタルスチールカメラであり、印刷装置１を操作するユーザの少なくとも顔の部分が画角に入る位置に設けられる。
【００１３】
図２は、印刷装置１の機能構成を示す図である。印刷装置１は、ユーザから取得した生体情報を予め登録された参照情報と照合する照合手段１０１と、決められた期間におけるユーザ毎の前記照合手段１０１による生体情報の照合の回数に基づく内容の処理を実行する実行手段１０２とを備える。
【００１４】
前記実行手段１０２は、前記照合手段１０１により一のユーザの前記期間における１回目の照合が行われた場合に、照合が成功したユーザに関する情報を記録する。前記実行手段１０２は、前記照合手段１０１により一のユーザの前記期間における２回目以降の照合が行われた場合に、予め定められた処理を実行する。
【００１５】
＜第１実施形態＞
図３は、第１実施形態の動作の流れ図である。印刷装置１の制御部１１は、印刷装置１にインストールされたアプリケーションプログラムに従って以下の処理を実行する。
【００１６】
＜ステップＳ１０１＞
制御部１１は、顔が認識されたか否かを判定する。具体的には、撮影部２１により撮影した画像を解析し、人間の顔に共通の特徴（輪郭、肌の色など）をその画像が備えている場合に、顔が認識されたと判定し（ステップＳ１０１：ＹＥＳ）、制御部１１の処理はステップＳ１０２に進む。
【００１７】
＜ステップＳ１０２＞
制御部１１は、顔照合を実行する（照合手段１０１の一例）。具体的には、印刷装置１が設置された事業所の従業員である各ユーザの顔の画像の特徴量（生体情報）を示す参照情報が記憶部１２に記憶されている。また、参照情報毎に、１日の照合の回数を示すカウンタが対応付けられている。制御部１１は、ステップＳ１０１で認識した顔の画像の特徴量を求め、この特徴量を参照情報と照合する。
【００１８】
＜ステップＳ１０３＞
制御部１１は、照合が成功したか否かを判定する。具体的には、制御部１１は、ステップＳ１０１で認識した顔の画像の特徴量が参照情報のいずれかに該当する場合に、照合が成功したと判定し（ステップＳ１０３：ＹＥＳ）、該当する参照情報に対応するカウンタに１を加算し、制御部１１の処理はステップＳ１０４に進む。照合が成功しなかった場合（ステップＳ１０３：ＮＯ）には、制御部１１は処理を終了する。
【００１９】
＜ステップＳ１０４＞
制御部１１は、ログイン操作を受け付ける。具体的には、ユーザＩＤとパスワードを入力するためのログイン画面を表示部１５に表示する。ユーザは、ユーザＩＤとパスワードを受付部１６に入力する。
【００２０】
＜ステップＳ１０５＞
制御部１１は、ログインが成功したか否かを判定する（認証手段１０３の一例）。具体的には、各ユーザのユーザＩＤとパスワードの組が記憶部１２に記憶されている。制御部１１は、受付部１６で受け付けられたユーザＩＤとパスワードの組が記憶部１２に記憶されている組のいずれかに該当する場合に、ログインが成功したと判定し（ステップＳ１０５：ＹＥＳ）、制御部１１の処理はステップＳ１０６に進む。ログインが成功しなかった場合（ステップＳ１０５：ＮＯ）には、制御部１１は処理を終了する。
【００２１】
＜ステップＳ１０６＞
制御部１１は、当該ユーザの顔の照合が本日の１回目の照合であるか否かを、参照情報に対応付けられたカウンタの値により判定する。１回目の照合である場合（ステップＳ１０６：ＹＥＳ）には、制御部１１の処理はステップＳ１０７に進む。２回目以降の処理である場合（ステップＳ１０６：ＮＯ）には、制御部１１の処理はステップＳ１０８に進む。
【００２２】
＜ステップＳ１０７＞
制御部１１は、出勤時刻をユーザＩＤと対応付けて記憶する（実行手段１０２の一例）。このとき、制御部１１は、画像形成部１４、読取部１７、ファクシミリ通信部１８などを操作するためのメニュー画面を表示部１５に表示させない。
【００２３】
＜ステップＳ１０８＞
制御部１１は、画像形成部１４、読取部１７、ファクシミリ通信部１８などを操作するためのメニュー画面を表示部１５に表示させる（実行手段１０２の一例）。
以上が、第１実施形態の動作である。
【００２４】
本実施形態によれば、生体情報の照合によるユーザ管理機能を兼ね備えた電子機器の機能を選択する操作が簡略化される。また、決められた期間における一のユーザの１回目の照合が行われた場合に、そのユーザに関する情報が記録される。また、決められた期間における一のユーザの２回目以降の照合が行われた場合に、予め定められた処理が実行される。
【００２５】
＜第２実施形態＞
図４は、第２実施形態の動作の流れ図である。ステップＳ２０１からＳ２０３までの動作は、第１実施形態のステップＳ１０１からＳ１０３までの動作と同じである。第２実施形態において、前記実行手段１０２は、前記照合手段１０１により一のユーザの２回目以降の照合が行われ、且つ、前記認証手段１０３による認証が成功した場合に、前記予め定められた処理を実行する。
【００２６】
＜ステップＳ２０４＞
制御部１１は、当該ユーザの顔の照合が本日の１回目の照合であるか否かを、参照情報に対応付けられたカウンタの値により判定する。１回目の照合である場合（ステップＳ２０４：ＹＥＳ）には、制御部１１の処理はステップＳ２０５に進む。２回目以降の処理である場合（ステップＳ２０４：ＮＯ）には、制御部１１の処理はステップＳ２０６に進む。
【００２７】
＜ステップＳ２０５＞
制御部１１は、出勤時刻をユーザＩＤと対応付けて記憶する（実行手段１０２の一例）。このとき、制御部１１は、画像形成部１４、読取部１７、ファクシミリ通信部１８などを操作するためのメニュー画面を表示部１５に表示させない。
【００２８】
＜ステップＳ２０６＞
制御部１１は、ログイン操作を受け付ける。具体的には、ユーザＩＤとパスワードを入力するためのログイン画面を表示部１５に表示する。ユーザは、ユーザＩＤとパスワードを受付部１６に入力する。
【００２９】
＜ステップＳ２０７＞
制御部１１は、ログインが成功したか否かを判定する（認証手段１０３の一例）。具体的には、各ユーザのユーザＩＤとパスワードの組が記憶部１２に記憶されている。制御部１１は、受付部１６で受け付けられたユーザＩＤとパスワードの組が記憶部１２に記憶されている組のいずれかに該当する場合に、ログインが成功したと判定し（ステップＳ２０７：ＹＥＳ）、制御部１１の処理はステップＳ２０８に進む。ログインが成功しなかった場合（ステップＳ２０７：ＮＯ）には、制御部１１は処理を終了する。
【００３０】
＜ステップＳ２０８＞
制御部１１は、画像形成部１４、読取部１７、ファクシミリ通信部１８などを操作するためのメニュー画面を表示部１５に表示させる（実行手段１０２の一例）。
以上が、第２実施形態の動作である。
【００３１】
本実施形態によれば、出勤時刻を記録するときに、ログイン操作が省略される。従って、出勤時刻を記録するユーザの待ち時間が短くなる。また、出勤時刻の記録の後のログアウト操作が不要となる。また、ログアウト操作を忘れてその場を離れることで後続のユーザに迷惑をかけることもなくなる。
【００３２】
上記の実施形態を以下の変形例のように変形してもよい。複数の変形例を組み合せてもよい。
＜変形例１＞
１日の１回目の顔照合を行ったユーザが、印刷装置１を使用する意思がないにもかかわらず、偶然に印刷装置１の近辺にととどまったために、短時間のうちに２回目の顔照合が行われることが考えられる。この場合、メニュー画面の表示は不要であるから、同一ユーザの１日の１回目の顔照合の後、短時間のうちに（例えば、５分以内に）２回目の顔照合が行われた場合には、第１実施形態におけるステップＳ１０８の処理（メニュー画面の表示）や、第２実施形態のステップＳ２０６以降の処理（ログイン）を実行しなくてもよい。
【００３３】
＜変形例２＞
実施形態では、生体情報の照合の一例として顔照合の例を示したが、指紋、静脈、虹彩などの生体情報の照合を行ってもよい。
【００３４】
＜変形例３＞
実施形態では、１日のユーザ毎の生体情報の照合の回数に基づく内容の処理を実行する例を示したが、１週間毎、１か月毎、半日毎などの期間におけるユーザ毎の生体情報の照合の回数に基づく内容の処理を実行するようにしてもよい。
【００３５】
＜変形例４＞
顔照合のエラーの回数に基づく内容の処理を実行するようにしてもよい。顔照合でエラーが発生するのは、撮影した顔の画像の特徴量（生体情報）に該当する参照情報が未登録である場合である。エラーが発生した場合、制御部１１は、記憶部１１を参照し、その特徴量を示すエラー情報が記憶されていない場合には、その特徴量をエラー情報として記憶部１１に記憶させ、このエラー情報に該当するエラーの回数を示すカウンタに１を加算し、ユーザに特徴量の登録を促すメッセージを表示部１５に表示させる。ユーザが登録に同意した場合、制御部１１は、その特徴量を参照情報として登録し、エラー情報とカウンタ値を消去する。ユーザが登録に同意しない場合、制御部１１は、エラー情報とカウンタ値の保持を続ける。
【００３６】
このユーザの特徴量が未登録のまま、このユーザが顔照合を試みた場合、再度、エラーが発生する。制御部１１は、エラーが発生した特徴量に該当するエラー情報が記憶されている場合には、１回目のエラー発生時と異なる処理を実行する。例えば、（１）エラーの解決方法を表示部１５に表示させる、（２）管理者の情報処理装置の表示部に同一ユーザの複数回のエラーが発生した旨を表示させる、（３）ユーザＩＤとパスワードを用いた認証をユーザに促すメッセージを表示部１５に表示させる、などのいずれかの処理を行う。あるいは、２回目のエラーの場合に（１）を実行し、３回目のエラーの場合に（２）を実行するというように、カウンタ値に応じて処理の内容を異ならせてもよい。
【００３７】
＜変形例５＞
本発明を医療機関の受付に適用してもよい。例えば、撮影した顔の画像の特徴量（生体情報）に該当する参照情報が未登録である場合、制御部１１は、その患者が初診であると判断し、初診の手続きや問診票の記入を促すメッセージを表示部１５に表示させ、特徴量を参照情報として登録する。撮影した顔の画像の特徴量が登録済みである場合、制御部１１は、この患者が再診であると判断し、診察の待ち行列のデータにこの患者の識別情報を追加する。
【００３８】
また、本発明を医療機関での保険証の管理に適用してもよい。例えば、制御部１１は、患者毎の月毎の診察回数を示すカウンタをその患者の参照情報と対応付けて記憶しておき、撮影した顔の画像の特徴量に該当する参照情報に対応するカウンタ値から、その患者が当月の何回目の診察であるかを判定する。制御部１１は、当月の１回目の診察の場合には、保険証の提示を促すメッセージを表示部１５に表示させ、２回目以降の診察の場合、保険証の提示を促すメッセージを表示させない。
【００３９】
＜変形例６＞
本発明を源泉徴収票の印刷に適用してもよい。例えば、制御部１１が、社員毎に最新の源泉徴収票の発行日以後の顔照合の回数をカウントし、撮影した顔の照合が当該社員の最新の源泉徴収票の発行日以後の１回目の顔照合である場合に、源泉徴収票の印刷を促すメッセージを表示部１５に表示させてもよい。
また、制御部１１が、社員毎に期毎（年度、半期、四半期など）の顔照合の回数をカウントし、撮影した顔の照合が当該社員の期毎の１回目の顔照合である場合に、経営者からの期初の訓示を表示部１５に表示させてもよい。
また、制御部１１が、社員毎に月毎の交通費清算日以降の顔照合の回数をカウントし、撮影した顔の照合が当該社員の月毎の交通費清算日以降の１回目の顔照合である場合に、清算手続き用の書類を画像形成部１４に印刷させてもよい。
【００４０】
＜変形例７＞
印刷装置以外の電子機器に本発明を適用してもよい。
照合手段１０１が電子機器の外部に設けられていてもよい。要するに、本発明は、ユーザから取得した生体情報を予め登録された参照情報と照合する照合手段と、決められた期間におけるユーザ毎の前記照合手段による生体情報の照合の回数に基づく内容の処理を実行する実行手段とを備える情報処理システムとしても特定され得る。
実施形態では、アプリケーションプログラムによって上記の機能を実現する例を示したが、上記の機能の一部又は全部がハードウェア回路で実装されていてもよい。また、アプリケーションプログラムを、光記録媒体や半導体メモリなど、コンピュータで読み取り可能な記録媒体に記録して提供し、この記録媒体からプログラムを読み取ってインストールするようにしてもよい。また、このプログラムを電気通信回線で提供してもよい。
【符号の説明】
【００４１】
１…印刷装置、１０…制御装置、１１…制御部、１２…記憶部、１３…通信部、１４…画像形成部、１５…表示部、１６…受付部、１７…読取部、１８…ファクシミリ通信部、２１…撮影部
【図１】
0006699289.tif 000002
【図２】
0006699289.tif 000003
【図３】
0006699289.tif 000004
【図４】
0006699289.tif 000005